(57)【要約】      （修正有）【課題】変位可能な自由端部分を持つ発音片を弾く駆動機構に関して、製造が容易で発音や操作感の良好な機構を提供する。【解決手段】自由端が弾かれて音を発する発音片３と、発音片を弾く駆動ピン５ｂが設けられたジャック５と、回動可能に支持されたジャックを駆動ピンが発音片を変位させるＢ方向に移動させるためのウイッペン４と、利用者の操作力をウイッペンに伝える鍵盤６と、発音片が上方向に変位した後のジャックをＥ方向に回動させて駆動ピンを発音片自由端の外側へ逃がすための規制片１ｋとから構成した。また、駆動される発音片３と対応する補助リードを併せ設けて、当該補助リードの共鳴による生成音のハーモナイズ化を図った。【選択図】図４
2008309841.tif 000002
【特許請求の範囲】
【請求項１】
自由端部分が変位可能な態様で基部側に取り付けられた発音片と、
前記自由端部分に作用する単一の駆動要素が設けられた駆動部材と、
前記駆動部材を回動可能な態様で支持し、かつ、前記駆動要素が前記自由端部分へ近づく第１の方向に当該駆動部材を移動させるための制御部材と、
前記制御部材の作動に基づいて、前記駆動要素が前記自由端部分に作用する段階で前記駆動部材に当接してこれを回動させることにより、当該駆動要素を、前記第１の方向とは縦横の関係に近似する第２の方向に移動させて当該自由端部分の外側へ逃がすための規制部材と、
を備えたことを特徴とする発音片駆動機構。
【請求項２】
前記制御部材は、
回動可能な態様で基部側に取り付けられて前記駆動部材を支持する第１の部材および、基部側に取り付けられて当該第１の部材を前記第１の方向へ移動させるための第２の部材からなる、
ことを特徴とする請求項１記載の発音片駆動機構。
【請求項３】
前記駆動部材は、
回動中心部分が前記第１の部材に摩擦係合し、かつ、作動していない初期状態では、当該回動中心部分に対し前記駆動要素とは反対側の部分が前記第２の部材に当接して保持される、
ことを特徴とする請求項２記載の発音片駆動機構。
【請求項４】
自由端部分が変位可能な態様で前記基部側に取り付けられて、前記発音片との共鳴作用を呈する補助発音片を備えた、
ことを特徴とする請求項１乃至請求項３のいずれかに記載の発音片駆動機構。
【請求項５】
請求項１乃至請求項４のいずれかに記載の発音片駆動機構を複数有して、前記制御部材はそれぞれ鍵盤部分を持つ、
ことを特徴とする鍵盤楽器。
【発明の詳細な説明】
【技術分野】
【０００１】
本発明は、変位可能な自由端部分を持つ発音片の駆動機構および、各音階に対応した複数の当該駆動機構を備えた鍵盤楽器に関する。
【０００２】
特にピンなどの駆動要素を例えば上方向（縦方向）に移動させて発音片を弾いた段階で、当該駆動要素が設けられている駆動部材（ジャックなど）をそれに対する移動規制部材との当接作用に基づいて回動させることにより、駆動要素が例えば略横方向に移動して発音片の自由端部分の外側へ逃げるようにしたものである。
【０００３】
本発明はこのように、発音片駆動機構の構成を複雑化することなしに、駆動要素で弾かれた発音片自由端部分のその後の振動が抑止され、また、駆動要素が発音片の自由端部分に作用してからその外側に逃げる際の動作のシャープ化を図れるようにしている。
【背景技術】
【０００４】
駆動要素が発音片の自由端部分を弾いてそこから逃げていく態様の発音片駆動機構は、下記の公報で開示されている（特許文献１参照）。なお、以下の〔  〕内の番号は当該公報における参照番号を示している。
【０００５】
この発音片駆動機構の場合、発音片[11]の自由端部分を弾くための作動歯輪[10]が始動歯輪[7]とともに設けられており、この始動歯輪を、鍵盤[1]と連動する始動杆[4]に形成された始動爪[5]で回転駆動している。
【０００６】
これらの発音片作動歯輪[10]および始動歯輪[7]は操作歯輪[8]の側面部分に形成されている。横軸[9]に取り付けられた当該操作歯輪は、鍵盤[1]の押下げ操作時に当該始動歯輪が始動爪[5]で駆動されることにより、時計方向に一つの発音片作動歯分だけ回転する。
【０００７】
この回転にともない、発音片自由端部分の直下に位置している所定の作動歯が当該自由端部分を上方向に弾いた上で、そこから逃げていく。
【０００８】
また、操作歯輪[8]をいわばその静止モード位置（＝鍵盤[1]が押下げ操作されていない状態）に保持するための抑制板発条[12]が、当該操作歯輪側面部分の刺輪[13]の下方に位置する歯[13a]，[13b]を上方に押圧する形で、設けられている。
【特許文献１】実公昭３６−６０２２号公報
【発明の開示】
【発明が解決しようとする課題】
【０００９】
このように上述の発音片駆動機構の場合、発音片の自由端部分を弾くための手段として歯車状の回転機構が用いられている。
【００１０】
そして、この歯車状の回転機構の側面部分に複数形成された自由端部分駆動用の歯（発音片作動歯輪）が鍵盤の押下げ操作ごとに一個分だけ円周方向に同じ態様で移動することにより、自由端部分を上方に弾いた上でこれから逃げて、かつ、当該回転機構がこの移動後（および移動前）の状態に専用部材で保持されるようにしている。
【００１１】
そのため、発音片駆動機構の全体構成が複雑化してしまい、製造コストも高くなるという問題点があった。
【００１２】
また、自由端部分駆動用の歯（発音片作動歯輪）は、それが当該自由端部分を弾くのと略同じ方向に逃げていくことになり、この弾きから逃げへの動作変化がいわば鈍くなりがちであるという問題点があった。
【００１３】
そこで本発明においては、発音片の自由端部分に作用する駆動源として（駆動部材に設けられた）単一の駆動要素を用い、この駆動要素が例えば縦方向に移動して当該自由端部分に作用する段階で当該駆動部材を回動させることにより、当該駆動要素を例えば略横方向に移動させて当該自由端部分から外側へ逃がす態様にして、発音片駆動機構の全体構成の簡単化とともに、自由端部分の縦方向の変位から横方向への逃げへの動作変化のシャープ化を図ることなどを目的とする。
【課題を解決するための手段】
【００１４】
本発明は、以上の課題を次の発音片駆動機構により解決する。
（１）自由端部分が変位可能な態様で基部側（例えば後述の上側基台部分２ａ）に取り付けられた発音片（例えば後述の発音片３）と、
前記自由端部分に作用する単一の駆動要素（例えば後述の駆動ピン５ｂ）が設けられた駆動部材（例えば後述のジャック５）と、
前記駆動部材を回動可能な態様で支持して、かつ、前記駆動要素が前記自由端部分へ近づく第１の方向に当該駆動部材を移動させるための制御部材（例えば後述のウイッペン４，鍵盤６）と、
前記制御部材の作動に基づいて、前記駆動要素が前記自由端部分に作用する段階で前記駆動部材に当接してこれを回動させることにより、当該駆動要素を、前記第１の方向とは縦横の関係に近似する第２の方向に移動させて当該自由端部分の外側へ逃がすための規制部材（例えば後述の移動規制部１ｊ，規制片１ｋ）と、
を備えた発音片駆動機構を用いる。
（２）上記（１）の前記制御部材として、
回動可能な態様で基部側（例えば後述の下側基台部分２ｂ）に取り付けられて前記駆動部材を支持する第１の部材（例えば後述のウイッペン４）および、基部側（例えば後述の横方向の基部１）に取り付けられて当該第１の部材を前記第１の方向へ移動させるための第２の部材（例えば後述の鍵盤６）からなる、
ものを用いる。
（３）上記（２）の前記駆動部材として、
回動中心部分（例えば後述の回動軸５ａ）が前記第１の部材に摩擦係合し、かつ、作動していない初期状態では、当該回動中心部分に対し前記駆動要素とは反対側の部分（例えば後述のジャックテール５ｅの下面端部）が前記第２の部材（例えば後述の受け部６ｆ）に当接して保持される、
ものを用いる。
（４）上記（１）〜（３）において、
自由端部分が変位可能な態様で前記基部側に取り付けられて、前記発音片との共鳴作用を呈する補助発音片（例えば後述の補助リード７）を備えた、
ものを用いる。
【００１５】
本発明は、このような構成からなる発音片駆動機構および、複数の当該発音片駆動機構からなる鍵盤楽器を対象としている。
【発明の効果】
【００１６】
本発明は、ピンなどの駆動要素を例えば縦方向に移動させて発音片を弾いた段階で、当該駆動要素が設けられている駆動部材（ジャックなど）をそれの位置規制部材との当接作用に基づいて積極的に回動させることにより、駆動要素が例えば略横方向に移動して発音片の自由端部分の外側へ逃げるようにしている。
【００１７】
そのため、発音片駆動機構の構成を複雑化することなしに、駆動要素で弾かれた（叩かれた）発音片自由端部分のその後の振動を抑止し、かつ、駆動要素が発音片の自由端部分に作用してからその外側に逃げる際の動作のシャープ化を図ることができる。
【００１８】
また、発音片との共鳴関係を有する補助発音片を設けているので、当該発音片に基づく生成音のハーモナイズ化を図ることができる。
【００１９】
また、発音片の自由端部分は鍵盤部分の操作により駆動されるので、操作力の程度に応じて、当該発音片が生成する音の強弱をつけることができる。
【００２０】
さらには後述のように、発音片の操作・駆動系（鍵盤６，ウイッペン４やジャック５など）を構成する部材同士（鍵盤６およびウイッペン４）は接続されずに、かつ、当該操作・駆動系が当該発音片に作動してから初期状態に復帰するための手段として、弾性体を用いるのではなく、当該部材（鍵盤６およびウイッペン４）のそれぞれに設けた重りを用いているので、利用者は発音片の駆動操作の際にいわゆるピアノタッチ感を得ることができる。
【発明を実施するための最良の形態】
【００２１】
図１乃至図６を用いて本発明を実施するための最良の形態を説明する。
【００２２】
ここで、
図１は、静止モード（＝鍵盤が押圧操作されていない状態）における発音片駆動機構の全体概要を示し、
図２は、図１の発音片駆動機構の要部（発音片，ジャック，ジャック回動用規制片，ウイッペン，鍵盤など）を示し、
図３は、図２に続く発音片付勢モードにおける発音片駆動機構の要部を示し、
図４は、図３に続くジャック逃げモードにおける発音片駆動機構の要部を示し、
図５は、図４に続くジャック復帰モードにおける発音片駆動機構の要部を示し、
図６は、複数の発音片駆動機構からなる鍵盤楽器の概要を示している。
【００２３】
以下のアルファベット付き参照番号の構成要素（例えば前方基台部分１ａ）は原則として、当該参照番号の数字部分の構成要素（例えば横方向の基部１）の一部であることを示している。
【００２４】
なお、以下の説明では、図示の鍵盤６の操作面６ａの側を「前」とし、これとは反対の重り６ｅの側を「後」とする。
【００２５】
図１〜図６において、
１は後述の鍵盤６が取り付けられるとともに共鳴箱を形成する横方向の基部，
１ａは当該基部の上面に形成された前方基台部分，
１ｂは当該前方台部分に固定されたガイドピン，
１ｃは当該前方台部分の上面に当該ガイドピンを囲む形で設けられた保護用のクロス，
１ｄは当該基部の上面に形成された中央基台部分，
１ｅは当該中央基台部分に固定されて鍵盤６の揺動軸として作用するバランスピン，
１ｆは当該中央基台部分の上面に当該バランスピンを囲む態様で設けられた保護用のクロス，
１ｇは当該基部の上面に形成された後端側基台部分，
１ｈは当該後端側台部分の上面に設けられた保護用のクロス，
１ｊは当該基部に形成されて、後述のジャック５の図示上方向への移動を規制してその後の当該ジャックを回動動作に移行させるための移動規制部，
１ｋはジャック回動モード（逃げモード，図４参照）において後述の突状部５ｆと当接する規制片，
１ｍは当該規制片の下端側に設けられた緩衝用のフェルト，
２は後述の発音片３やウイッペン４などが取り付けられるとともに共鳴箱を形成する縦方向の基部，
２ａは当該基部の内方側面に設けられた後述の発音片用の上側基台部分，
２ｂは当該基部の内方側面に設けられた後述のウイッペン用の下側基台部分，
２ｃは当該下側基台部分に形成された（ウイッペン取付け用の）一対の片部，
３は一端側を上側基台部分２ａにビスや螺子などで固定された金属製などの発音片，
３ａは当該発音片の下面部分に設けられた調音作用部，
４は下側基台部分２ｂの片部２ｃの孔部に周知のブッシングクロスを介して回動可能な態様で取り付けられたウイッペン，
４ａは当該孔部に取り付けられた回動軸，
４ｂは当該ウイッペンに設けられてこれを図示時計方向へ回動付勢するための金属製，木製や合成樹脂製の重り，
４ｃは当該ウイッペンの底面側に設けられて後述の鍵盤６と当接してこれに応動する態様の（下に凸の曲面状の）ヒールクロス，
４ｄは当該ウイッペンに略直立する形で設けられて静止モード（図２参照）や発音片付勢モード（図３参照）における後述のジャックボタン５ｃを受けて保持する受け作用部，
４ｅは当該ウイッペンの前端側に形成された（ジャック取付け用の）一対の片部，
５はウイッペン４の片部４ｅの孔部に周知のブッシングクロスを介して回動可能な態様で取り付けられたジャック，
５ａは当該孔部に取り付けられた回動軸，
５ｂは当該ジャックの上端側に設けられて、鍵盤操作にともない発音片３をその下方より上方に弾いてから前方向（図示右方向）に逃げる金属製などの駆動ピン，
５ｃは回動軸５ａと当該駆動ピンとの間に取り付けられて、静止モード（図２参照）や発音片付勢モード（図３参照）の際にウイッペン４の受け作用部４ｄと当接してこれに保持されるジャックボタン，
５ｄは当該ジャックボタンの後端側部分（図示左端側部分）に設けられた緩衝用のフェルト，
５ｅは後述の鍵盤６と対向・当接するジャックテール，
５ｆは当該ジャックテールの前端側部分（図示右端側部分）に形成されて、ジャック回動モード（逃げモード：図４参照）などの際に規制片１ｋ（フェルト１ｍ）と当接することにより、ジャック５のいわば回動基点となる突状部，
６は基部１に取り付けられて利用者の押圧操作によりバランスピン１ｅに対して回動する鍵盤，
６ａは操作面，
６ｂはガイドピン１ｂに対応した前方孔部，
６ｃはバランスピン１ｅに対応した中央大孔部，
６ｄは当該中央大孔部の下方に続くバランスピン対応部分であって当該鍵盤のいわば回動中心となり、また、鍵盤回動の際のバランスピン１ｅに対する遊び域を備えた形の中央小孔部，
６ｅは当該鍵盤の後端側部分に設けられた金属製，木製や合成樹脂製の重り，
６ｆは当該鍵盤の上面部分に取り付けられて図２の静止モードや図５のジャック復帰モードの突状部５ｆを支持するためのセルロイド，フェルト，皮などからなる受け部，
６ｇはバランスピン１ｅに対する周知の揺動用孔部を持つ中座板，
６ｈは当該鍵盤の幅方向においてバランスピン１ｅと密接する態様で当該揺動用孔部の内周面に取り付けられた周知のブッシングクロス，
６ｊはガイドピン１ｂと密接する態様で前方孔部６ｂの下側内周面に取り付けられた周知のブッシングクロス，
７は発音片３と平行する形で一端側を上側基台部分２ａにビスや螺子などで固定されて、当該発音片との共鳴作用により当該発音片（の生成音）より１オクターブ高い音を発生する金属製などの補助リード（図６参照）、
Ａは鍵盤６の移動方向（図３，４参照），
Ｂはウイッペン４の移動方向（図３，４参照），
Ｃは駆動ピン５ｂの移動方向（図３参照），
Ｄはジャックテール５ｅの移動方向（図３参照），
Ｅはジャック５の移動方向（図４参照），
Ｆは駆動ピン５ｂの移動方向（図４参照），
Ｇは鍵盤６の移動方向（図５参照），
Ｈはウイッペン４の移動方向（図５参照），
Ｉは駆動ピン５ｂの移動方向（図５参照），
Ｊはジャックテール５ｅの移動方向（図５参照），
Ｋはウイッペン４の移動方向（図５参照），
Ｌはジャック５の移動方向（図５参照），
Ｍは駆動ピン５ｂの移動方向（図５参照）
をそれぞれ示している。
【００２６】
ここで上述の各構成要素の中で材質を特に記述していない部分は、それぞれの機能に応じて木製，金属製，合成樹脂製、布製，皮製，ゴム製などのものが適宜用いられる。
【００２７】
図示の発音片駆動機構は、大略、
(a)ガイドピン１ｂ，バランスピン１ｅおよび移動規制部１ｊなどを備えた横方向の基部１
(b)発音片用の上側基台部分２ａおよびウイッペン用の下側基台部分２ｂなどを備えた縦方向の基部２
(c)上側基台部分２ａに一端側を固定されてその反対側が自由端となっている発音片３
(d)下側基台部分２ｂに回動可能な態様で取り付けられたウイッペン４
(e)ウイッペン４の自由端側に回動可能な態様で取り付けられたジャック５
(f)バランスピン１ｅを揺動軸（回動軸）とする形で設定されて、ウイッペン４を常時支持するとともに、静止モード（図２参照）やジャック復帰モード（図５参照）のジャックテール５ｅを受ける鍵盤６
(g)上側基台部分２ａに一端側を固定されてその反対側が自由端となっている補助リード７
の各構成要素からなっている。
【００２８】
なお図１〜図５では、発音片駆動機構の動作を説明する上での単なる便宜のため、補助リード７の図示を省略している。この発音片駆動機構も、図６の場合と同様に、発音片３の近くに共鳴用の補助リード７が設けられている。
【００２９】
図１，図２の静止モードでは、
(11)バランスピン１ｅを揺動中心とする鍵盤６は、その一部に設けられた重り６ｅの作用により、その後端底面が後端側基台部分１ｇのクロス１ｈに当接し、その前方底面が前方基台部分１ａのクロス１ｃから離間し、
(12)一対の片部２ｃ（下側基台部分２ｂ）の孔部に取り付けられた回動軸４ａを中心に回動するウイッペン４のヒールクロス４ｃが、鍵盤６の上面に支持され、
(13)一対の片部４ｅ（ウイッペン４）の孔部に取り付けられた回動軸５ａを中心に回動するジャック５（ジャックテール５ｅ）の突状部５ｆが、鍵盤６の受け部６ｆに支持され、
(14)この受け部６ｆに支持されたジャック５のジャックボタン５ｃ（フェルト５ｄ）が、ウイッペン４の受け作用部４ｄに当接・保持されている。
【００３０】
図示の発音片駆動機構における、図１，図２（静止モード）の鍵盤６の操作面６ａを押下げてから離すといった発音片駆動操作にともなう動作態様は次のようになっている。
【００３１】
先ず図３（発音片付勢モード）に示すように、
(21)鍵盤６がその中央小孔部６ｄ（バランスピン１ｅ）を中心にして時計方向（Ａ方向）に回動し、
(22)これにともなってウイッペン４が回動軸４ａを中心にして反時計方向（Ｂ方向）に回動されることによりジャック５を上方向に移動させ、
(23)このジャック５の移動により、発音片３の自由端部分が駆動ピン５ｂで略上方向（Ｃ方向）に弾かれ、また、当該発音片の突状部５ｆが上方向（Ｄ方向）に移動する。
【００３２】
次に図４（ジャック逃げモード）に示すように、
(31)鍵盤６の更なる時計方向（Ａ方向）への回動にともなってウイッペン４も依然として反時計方向（Ｂ方向）に移動し、
(32)ジャック５は、その突状部５ｆが移動規制部１ｊの規制片１ｋ（フェルト１ｍ）に当接してウイッペン４とのそれまでと同じ態様での連動ができなくなるため、当該ウイッペンの片部４ｅの孔部（回動軸５ａ）に対して時計方向（Ｅ方向）に回動し、
(33)この回動により発音片３の駆動ピン５ｂが前方向（Ｆ方向）に移動して当該発音片の自由端部分から逃げる。
【００３３】
そして例えば利用者が操作面６ａから指などを離して鍵盤６の押下げ操作を終えた後の所定段階では、図５（ジャック復帰モード）に示すように、
(41)鍵盤６が、その一部に設けられた重り６ｅの作用で中央小孔部６ｄ（バランスピン１ｅ）を中心にして反時計方向（Ｇ方向）に回動し、
(42)この鍵盤６の回動にともないウイッペン４が、その一部に設けられた重り４ｂの作用で下方向（Ｈ方向）に当該鍵盤とともに連動して、ジャック５の駆動ピン５ｂは右斜め下方向（Ｉ方向）に移動し、また、当該ジャックの突状部５ｆは左下斜め方向（Ｊ方向）に移動する。
【００３４】
また、図５のジャック復帰モードにおいてジャック５の突状部５ｆが鍵盤６の受け部６ｆに当接した後の、当該鍵盤の反時計方向（Ｇ方向）への更なる移動にともない、
(51)ウイッペン４は重り４ｂの作用で時計方向（図５のＫ方向）に連続して回動し、
(52)このウイッペン４のＫ方向への移動にともない、すでに突状部５ｆの部分が鍵盤６の受け部６ｆに当接しているジャック５は、自回動軸５ａを中心にして反時計方向（図５のＬ方向）に移動し、
(53)このジャック５のＬ方向への回動により、当該ジャックに設けられた駆動ピン５ｂは左斜め下方向（図５のＭ方向）に移動するとともに、同じく当該ジャックに設けられたジャックボタン５ｃはウイッペン４の受け作用部４ｄとの当接状態に移行する。
【００３５】
なお、ジャック５の駆動ピン５ｂおよびジャックボタン５ｃが上記(53)の形に移動・移行した状態は図２の静止モードに他ならない。
【００３６】
ここでジャック５の回動軸５ａはウイッペン４の片部４ｅの孔部に周知のブッシングクロスを介して強く摩擦係合している。
【００３７】
そのためジャック５は、規制片１ｋや受け部６ｆなどからのいわば押圧力を積極的に受けない限り、ウイッペン４に対して同じ位置態様を保持することになる。
【００３８】
すなわち図２（静止モード）から図３（発音片付勢モード）への移行過程や、図４（ジャック逃げモード）から図５（ジャック復帰モード）への移行過程などでは、ウイッペン４およびジャック５がいわば単一部材化している。
【００３９】
図２〜図５からも明らかなように、鍵盤６の上面とウイッペン４との当接位置は当該鍵盤のＡ方向への回動の程度が大きくなるに応じて前の方にシフトする。
【００４０】
また、ジャック５の突状部５ｆと規制片１ｋのフェルト１ｍとの当接位置および、ジャックテール５ｅの下面端部と鍵盤６の受け部６ｆとの当接位置も、ウイッペン４やジャック５などの回動状態によってシフトする。
【００４１】
上述の鍵盤６は、重り６ｅを備えてこれの作用で当該鍵盤の操作終了後には静止モード位置に自動復帰するように設定されている。そのため鍵盤自動復帰用のスプリングなどを用いる必要がない。
【００４２】
図６の鍵盤楽器は図１〜図５の発音片駆動機構を複数設けたものであり、上記基部１，２などはそれぞれ例えば単一化（共通化）されている。
【００４３】
各発音片３の長さ，幅や重さを変えることにより鍵盤楽器全体としての各音階が設定されている。
【００４４】
補助リード７はそれぞれ、低音域の発音片３のみの近くに設けられており、この低音域発音片がジャック５の駆動ピンで弾かれたときに当該発音片との共鳴作用を生じる。
【図面の簡単な説明】
【００４５】
【図１】静止モード（＝鍵盤が押圧操作されていない状態）における発音片駆動機構の全体概要を示す説明図である。
【図２】図１の発音片駆動機構の要部（発音片，ジャック，ジャック回動用規制片，ウイッペン，鍵盤など）を示す説明図である。
【図３】図２に続く発音片付勢モードにおける発音片駆動機構の要部を示す説明図である。
【図４】図３に続くジャック逃げモードにおける発音片駆動機構の要部を示す説明図である。
【図５】図４に続くジャック復帰モードにおける発音片駆動機構の要部を示す説明図である。
【図６】複数の発音片駆動機構からなる鍵盤楽器の概要を示す説明図である。
【符号の説明】
【００４６】
１：横方向の基部
１ａ：前方基台部分
１ｂ：ガイドピン
１ｃ：保護用のクロス
１ｄ：中央基台部分
１ｅ：バランスピン
１ｆ：保護用のクロス
１ｇ：後端側基台部分
１ｈ：保護用のクロス
１ｊ：移動規制部
１ｋ：規制片
１ｍ：緩衝用のフェルト
２：縦方向の基部
２ａ：発音片用の上側基台部分
２ｂ：ウイッペン用の下側基台部分
２ｃ：ウイッペン取付け用の一対の片部
３：発音片
３ａ：調音作用部
４：ウイッペン
４ａ：回動軸
４ｂ：重り
４ｃ：ヒールクロス
４ｄ：受け作用部
４ｅ：ジャック取付け用の一対の片部
５：ジャック
５ａ：回動軸
５ｂ：駆動ピン
５ｃ：ジャックボタン
５ｄ：緩衝用のフェルト
５ｅ：ジャックテール
５ｆ：突状部
６：鍵盤
６ａ：操作面
６ｂ：前方孔部
６ｃ：中央大孔部
６ｄ：中央小孔部
６ｅ：重り
６ｆ：受け部
６ｇ：中座板
６ｈ，６ｊ：ブッシングクロス
７：補助リード
Ａ：鍵盤６の移動方向（図３，４参照）
Ｂ：ウイッペン４の移動方向（図３，４参照）
Ｃ：駆動ピン５ｂの移動方向（図３参照）
Ｄ：ジャックテール５ｅの移動方向（図３参照）
Ｅ：ジャック５の移動方向（図４参照）
Ｆ：駆動ピン５ｂの移動方向（図４参照）
Ｇ：鍵盤６の移動方向（図５参照）
Ｈ：ウイッペン４の移動方向（図５参照）
Ｉ：駆動ピン５ｂの移動方向（図５参照）
Ｊ：ジャックテール５ｅの移動方向（図５参照）
Ｋ：ウイッペン４の移動方向（図５参照）
Ｌ：ジャック５の移動方向（図５参照）
Ｍ：駆動ピン５ｂの移動方向（図５参照）
【図１】
2008309841.tif 000003
【図２】
2008309841.tif 000004
【図３】
2008309841.tif 000005
【図４】
2008309841.tif 000006
【図５】
2008309841.tif 000007
【図６】
2008309841.tif 000008